(57)【要約】【課題】無線LANシステム全体の挙動が非常に煩雑になることを抑制すること。【解決手段】本開示の無線通信システムは、BSSに所属するアクセスポイント（AP）及びAPに所属する端末（STA）を備える。STAは、STAにおいて、OBSS_PD-based SRの利用が認められていないか否かに応じて、仮想キャリアセンスで使用するNAVを更新する。【選択図】図２
2020025356.tif 000002
【特許請求の範囲】
【請求項１】
BSS(Basic Service Set)に所属するアクセスポイント（AP）及び前記APに所属する端末（STA）を備え、
前記STAは、
前記STAにおいて、前記BSSとOBSS（Overlapping BSS）との間の干渉を回避するように調整を実行する機能を含むOBSS_PD（Power Detect）-based SR（Spatial Reuse）の利用が認められていないか否かに応じて、仮想キャリアセンスで使用するNAV（Network Allocation Vector）を更新する、
無線通信システム。
【請求項２】
BSS（Basic Service Set）に所属するアクセスポイント（AP）及び前記APに所属する端末（STA）を備える無線通信システムにおける前記APであって、
前記STAにおいて、前記BSSとOBSS（Overlapping BSS）との間の干渉を回避するように調整を実行する機能を含むOBSS_PD（Power Detect）-based SR（Spatial Reuse）の利用が認められていないか否かに応じて、前記STAに対し、仮想キャリアセンスで使用するNAV（Network Allocation Vector）を更新するよう指示する指示手段を備える、
AP。
【請求項３】
BSS（Basic Service Set）に所属するアクセスポイント（AP）及び前記APに所属する端末（STA）を備える無線通信システムにおける前記STAであって、
前記STAにおいて、前記BSSとOBSS（Overlapping BSS）との間の干渉を回避するように調整を実行する機能を含むOBSS_PD（Power Detect）-based SR（Spatial Reuse）の利用が認められていないか否かに応じて、仮想キャリアセンスで使用するNAV（Network Allocation Vector）を更新する制御手段を備える、
STA。
【請求項４】
前記制御手段は、
前記STAにおいて、前記OBSS_PD-based SRの利用が認められている場合、少なくともBasic NAVの更新を行わない、
請求項３に記載のSTA。
【請求項５】
前記制御手段は、
前記STAにおいて、前記OBSS_PD-based SRの利用が認められていない場合、少なくともBasic NAVの更新を行う、
請求項３に記載のSTA。
【請求項６】
BSS（Basic Service Set）に所属するアクセスポイント（AP）及び前記APに所属する端末（STA）を備える無線通信システムにおける前記APによる通信方法であって、
前記STAにおいて、前記BSSとOBSS（Overlapping BSS）との間の干渉を回避するように調整を実行する機能を含むOBSS_PD（Power Detect）-based SR（Spatial Reuse）の利用が認められていないか否かに応じて、前記STAに対し、仮想キャリアセンスで使用するNAV（Network Allocation Vector）を更新するよう指示することを含む、
通信方法。
【請求項７】
BSS（Basic Service Set）に所属するアクセスポイント（AP）及び前記APに所属する端末（STA）を備える無線通信システムにおける前記STAによる通信方法であって、
前記STAにおいて、前記BSSとOBSS（Overlapping BSS）との間の干渉を回避するように調整を実行する機能を含むOBSS_PD（Power Detect）-based SR（Spatial Reuse）の利用が認められていないか否かに応じて、仮想キャリアセンスで使用するNAV（Network Allocation Vector）を更新することを含む、
通信方法。
【発明の詳細な説明】
【技術分野】
【０００１】
本開示は、無線通信システム、アクセスポイント、端末、通信方法に関する。
【背景技術】
【０００２】
無線LAN（Local Area Network）標準規格 IEEE（Institute of Electrical and Electronics Engineers） 802.11において、次世代通信方式IEEE 802.11ax（HEW：High Efficiency WLAN（Wireless LAN））の検討が、タスクグループTGaxにおいて行われている。IEEE 802.11axにおいては、要素技術に関して、新しい変復調方式（1024QAM（Quadrature Amplitude Modulation））の採用、上りのMU-MIMO（Multi User Multi-Input Multi-Output）のサポート、OFDMA（Orthogonal frequency-division multiple access）の導入などが進められる見通しである。
【０００３】
ところで、任意のBSS（Basic Service Set）に対して、エリアが重複し、同一の周波数を使用する他のBSSはOBSS（Overlapping BSS）と呼ばれる。また、複数のBSSが互いにOBSSとして併存している状態は、OBSS問題（又はOBSS環境）と呼ばれる。アクセスポイントの配置密度が高いDense deployment 環境では、OBSS問題が頻繁に発生する。また、Dense deployment 環境では、端末及びアクセスポイントは共に、OBSSから干渉を受けてスループットが大きく低下する。
【０００４】
図１は、OBSS問題が発生している無線通信システムの構成例を示す図である。BSS1及びBSS2は、互いにエリアが重複し、同一の周波数を使用している。そのため、BSS1から見ると、BSS2はOBSSとなり、また、BSS2から見ると、BSS1はOBSSとなる。
【０００５】
BSS1に所属するノードは、BSS1を形成するアクセスポイントAP1と、アクセスポイントAP1にアソシエート中の端末STA1-1，1-2と、を含む。このうち、端末STA1-1は、BSS1及びBSS2が重複するエリアに位置している。そのため、アクセスポイントAP1と端末STA1-1との間の通信は、BSS2から干渉を受けるため、アクセスポイントAP1及び端末STA1-1のスループットが低下する。
【０００６】
BSS2に所属するノードは、BSS2を形成するアクセスポイントAP2と、アクセスポイントAP2にアソシエート中の端末STA2-1，2-2と、を含む。このうち、端末STA2-1は、BSS1及びBSS2が重複するエリアに位置している。そのため、アクセスポイントAP2と端末STA2-1との間の通信は、BSS1から干渉を受けるため、アクセスポイントAP2及び端末STA2-1のスループットが低下する。
【０００７】
なお、BSS1には、2つの端末STA1-1，1-2が所属することに限らず、少なくとも1つの端末が所属していれば良い。以下、BSS1に所属する端末を、どの端末であるか特定しない場合は端末STA1と呼ぶ。また、BSS2には、2つの端末STA2-1，2-2が所属することに限らず、少なくとも1つの端末が所属していれば良い。以下、BSS2に所属する端末を、どの端末であるか特定しない場合は端末STA2と呼ぶ。また、以下、どの端末STA1,STA2であるか特定しない場合は端末STAと呼び、どのアクセスポイントAP1,AP2であるか特定しない場合はアクセスポイントAPと呼ぶ。
【０００８】
IEEE 802.11ax（HEW）においては、Dense deployment 環境でのアクセスポイントAPのスループット向上のために、SR（Spatial Reuse；空間再利用／周波数再利用）の機能が追加される見通しである。以下、SRに関連するOBSS_PD（Power Detect）-based SR及びTwo NAVs（Network Allocation Vectors）という２つの仕組みについて説明する。
【０００９】
まず、OBSS_PD-based SRについて説明する。
OBSS_PD-based SRには、アクセスポイントAP及び端末STAが送信電力（TXPWR）及びCCA （Clear Channel Assessment）sensitivity レベルの調整を動的に行い、BSSとOBSSとの間の干渉を回避するように調整する機能がある（例えば、非特許文献１参照）。この機能により、OBSS問題の解決に寄与する。但し、TXPWR及びCCA sensitivity レベルを決定する具体的なアルゴリズムは実装依存である。
【００１０】
続いて、Two NAVsについて説明する。
IEEE 802.11ax（HEW）においては、端末STAは、チャネル上で受信した無線フレーム（例えば、PPDU（PLCP（Physical Layer Convergence Protocol） Protocol Data Unit）フレーム等）が、所属するBSSから受信した無線フレーム（Intra-BSSフレーム）であるか、又は、OBSSから受信した無線フレーム（Inter-BSSフレーム）であるか、を判定する仕組みが導入される。この判定は、例えば、受信した無線フレームのBSSカラービット、MAC（Media Access Control）ヘッダを確認することにより行う（例えば、非特許文献１参照）。例えば、図１の例では、BSS1に所属する端末STA1-1は、同じBSS1に所属するアクセスポイントAP1又は端末STA1-2から受信した無線フレームをintra-BSSフレームと判定し、OBSSとなるBSS2に所属するアクセスポイントAP2又は端末STA2-1,STA2-2から受信した無線フレームをInter-BSSフレームと判定することになる。
【００１１】
また、IEEE 802.11ax（HEW）においては、IEEE 802.11で用いられる仮想キャリアセンス（Virtual Carrier Sense）機能を拡張する。以下では、DCF（Distributed Coordination Function）通信の仮想キャリアセンスで使用される既存のNAVをConventional NAVと呼ぶことにする。Conventional NAVは、シグナリングにより端末STAに送信禁止期間を設定するものである。端末STAは、Conventional NAV>0の期間中、物理的キャリアセンスをすることなく、利用中のメディアをBUSYと判定し（仮想キャリアセンス）、無線フレームの送信を行わない。そのため、Conventional NAVは、端末STAの省電力化や通信効率の向上（いわゆる隠れ端末問題への対処）に寄与する。
【００１２】
IEEE 802.11ax（HEW）においては、Conventional NAVに追加して、Intra-BSS NAV及びBasic NAVと呼ばれる新たなTwo NAVsが定義されている（例えば、非特許文献１参照）。
【００１３】
Intra-BSS NAVは、受信したIntra-BSSフレームに含まれるNAV値を基に更新される。
Basic NAVは、受信した無線フレームの受信レベルが閾値OBSS_PDを超え、かつ、受信した無線フレームをInter-BSSフレームと判定した場合に、又は、受信した無線フレームをIntra-BSSフレームと判定できなかった場合に、受信した無線フレームに含まれるNAV値を基に更新される。ここで、OBSS_PDは、送信電力TXPWRに応じて変化する閾値である（例えば、非特許文献２参照）。
【００１４】
IEEE 802.11ax対応の端末STAは、Intra-BSS NAV> 0の期間中又はBasic NAV>0の期間中は、物理的キャリアセンスをすることなく、メディアをBUSYと判定し、無線フレームの送信を行わない（仮想キャリアセンス）。
【００１５】
以上のようなTwo NAVsの働きにより、IEEE 802.11ax対応の端末STAは、OBSSから受信したInter-BSSフレームの受信レベルが閾値OBSS_PD以下となる場合は、利用中のメディアをBUSYとみなさないため、所属するBSS内でのIntra-BSS通信を継続することができ、OBSS環境においてスループットの低下を抑制することができる。
【先行技術文献】
【非特許文献】
【００１６】
【非特許文献１】IEEE 802.11-15/0132r17
【非特許文献２】IEEE 802.11-16/0414r1
【発明の概要】
【発明が解決しようとする課題】
【００１７】
ところで、OBSS_PD-based SRの設定は、端末STAやアクセスポイントAPの製造メーカーの実装依存となる。そのため、無線通信システム全体の挙動を予測することができないという問題がある。
【００１８】
そこで本開示の目的の１つは、上述の課題を解決し、無線通信システム全体の挙動を予測しやすくすることができる無線通信システム、アクセスポイント、端末、通信方法を提供することにある。
【課題を解決するための手段】
【００１９】
一態様において、無線通信システムは、
あるBSS(Basic Service Set)に所属するアクセスポイント（AP）及び端末（STA）を備え、
前記AP及び前記STAは、
前記BSSとOBSS（Overlapping BSS）との間の干渉を回避するように調整するOBSS_PD (Power Detect)-based SR（Spatial Reuse）をアダプティブに利用不可とする。
【００２０】
一態様において、アクセスポイントは、
あるBSS（Basic Service Set）に所属するアクセスポイント（AP）及び端末（STA）を備える無線通信システムにおける前記APであって、
命令を記憶するメモリと、
前記命令を処理するように構成される少なくとも１つのプロセッサと、を備え、
前記プロセッサは、
前記BSSとOBSS（Overlapping BSS）との間の干渉を回避するように調整するOBSS_PD（Power Detect）-based SR（Spatial Reuse）をアダプティブに利用不可とする。
【００２１】
一態様において、端末は、
あるBSS（Basic Service Set）に所属するアクセスポイント（AP）及び端末（STA）を備える無線通信システムにおける前記STAであって、
命令を記憶するメモリと、
前記命令を処理するように構成される少なくとも１つのプロセッサと、を備え、
前記プロセッサは、
前記BSSとOBSS（Overlapping BSS）との間の干渉を回避するように調整するOBSS_PD（Power Detect）-based SR（Spatial Reuse）をアダプティブに利用不可とする。
【００２２】
一態様において、通信方法は、
あるBSS（Basic Service Set）に所属するアクセスポイント（AP）及び端末（STA）を備える無線通信システムにおける前記APによる通信方法であって、
前記BSSとOBSS（Overlapping BSS）との間の干渉を回避するように調整するOBSS_PD（Power Detect）-based SR（Spatial Reuse）をアダプティブに利用不可とする。
【００２３】
他の態様において、通信方法は、
同一のBSS（Basic Service Set）に所属するアクセスポイント（AP）及び端末（STA）を備える無線通信システムにおける前記STAによる通信方法であって、
前記BSSとOBSS（Overlapping BSS）との間の干渉を回避するように調整するOBSS_PD（Power Detect）-based SR（Spatial Reuse）をアダプティブに利用不可とする。
【発明の効果】
【００２４】
上述の態様によれば、無線通信システム全体の挙動を予測しやすくすることができるという効果が得られる。
【図面の簡単な説明】
【００２５】
【図１】OBSS問題が発生している無線通信システムの構成例を示す図である。
【図２】実施の形態１に係る無線通信システムにおけるモード１を説明するシーケンス図である。
【図３】実施の形態１に係る無線通信システムにおけるモード２を説明するシーケンス図である。
【図４】実施の形態１に係る無線通信システムにおけるモード３を説明するシーケンス図である。
【図５】実施の形態２に係る無線通信システムにおけるモード４を説明するシーケンス図である。
【図６】実施の形態３に係る無線通信システムにおける動作例１を説明するシーケンス図である。
【図７】実施の形態３に係る無線通信システムにおける動作例２を説明するシーケンス図である。
【図８】実施の形態３に係る無線通信システムにおける動作例３を説明するシーケンス図である。
【図９】ある観点におけるアクセスポイントの構成例を示すブロック図である。
【図１０】ある観点における端末の構成例を示すブロック図である。
【発明を実施するための形態】
【００２６】
以下、図面を参照して本開示の実施の形態について説明する。以下で説明する各実施の形態に係る無線通信システムの構成自体は、図１に示される構成と同様であり、アクセスポイントAPと、端末STAと、を含む。
端末STAは、大別して、IEEE 802.11ax対応の端末STA又はIEEE 802.11ax非対応の端末STAのいずれかとなる。
【００２７】
IEEE 802.11ax対応の端末STAは、Conventional NAV及びTwo NAVs（Intra-BSS NAV及びBasic NAV）の3つのNAVを内部に保持しており、3つのNAVのうちの少なくとも1つを使用して仮想キャリアセンスを行う。なお、IEEE 802.11ax対応の端末STAは、Conventional NAVを、Basic NAVと統一的に扱っても良い。この場合、IEEE 802.11ax対応の端末STAは、Basic NAV（このBasic NAVはConventional NAVと同一視される）およびIntra-BSS NAVを内部に保持する。また、IEEE 802.11ax対応の端末STAは、OBSS_PD-based SRが設定可能である。
【００２８】
一方、IEEE 802.11ax非対応の端末STAは、Conventional NAVのみを内部に保持しており、Conventional NAVを使用して仮想キャリアセンスを行う。また、IEEE 802.11ax非対応の端末STAは、OBSS_PD-based SRが設定不可である。
【００２９】
（１）実施の形態１
IEEE 802.11ax（HEW）では、OBSS_PD-based SR及びTwo NAVsという２つの仕組みが追加される。しかし、無線通信システムにおいて、OBSS_PD-based SR及びTwo NAVsを併用すると、無線通信システム全体の挙動が非常に煩雑になるという問題がある。
【００３０】
そこで、本実施の形態１は、任意のBSSにおいて、そのBSSに所属するアクセスポイントAP及びIEEE 802.11ax対応の端末STAにおいて、OBSS_PD-based SRの設定がオンされているか（言い換えれば、OBSS_PD-based SRが利用可能であるか。以下、同じ）否かに応じて、IEEE 802.11ax対応の端末STAが仮想キャリアセンスで使用するNAVをアダプティブに切り替える。
【００３１】
具体的には、本実施の形態１に係る無線通信システムは、仮想キャリアセンスの動作モードとしてモード０，１，２，３を備えており、モード０，１，２，３の切り替えにより、IEEE 802.11ax対応の端末STAが仮想キャリアセンスで使用するNAVを切り替える。以下、モード０，１，２，３について説明する。モード０，１，２，３は、BSSに所属する端末STAとして、IEEE 802.11ax対応の端末STA及びIEEE 802.11ax非対応の端末STAが混在していても良いし、IEEE 802.11ax対応の端末STAのみが存在していても良いものとする。なお、以下では、BSS1における動作を例に挙げて説明するが、BSS2における動作も同様であるとする。
【００３２】
モード０：
モード０は、OBSS_PD-based SR及びtwo NAVsを併用する関連技術と同様のモードである。
モード０は、BSS1に所属するアクセスポイントAP1及びIEEE 802.11ax対応の端末STA1において、OBSS_PD-based SRの設定がオンされている環境下で行われる。
【００３３】
モード０では、IEEE 802.11ax対応の端末STA1は、Conventional NAV及びtwo NAVs（Intra-BSS NAV及びBasic NAV）を使用して、仮想キャリアセンスを行い、IEEE 802.11ax非対応の端末STA1は、Conventional NAVを使用して、仮想キャリアセンスを行う。
【００３４】
モード０をまとめると、以下の表１の通りである。
【表１】
2020025356.tif 000003
【００３５】
モード１：
モード１は、BSS1に所属するアクセスポイントAP1及びIEEE 802.11ax対応の端末STA1において、OBSS_PD-based SRの設定がオンされている環境下で行われる。
【００３６】
モード１では、IEEE 802.11ax対応の端末STA1及びIEEE 802.11ax非対応の端末STA1は共に、Conventional NAVのみを使用して仮想キャリアセンスを行う。
【００３７】
モード１をまとめると、以下の表２の通りである。
【表２】
2020025356.tif 000004
【００３８】
モード２：
モード２は、BSS1に所属するアクセスポイントAP1及びIEEE 802.11ax対応の端末STA1において、OBSS_PD-based SRの設定がオフされている（言い換えれば、OBSS_PD-based SRが利用不可(prohibited)とされている。以下、同じ）環境下で行われる。
【００３９】
モード２では、IEEE 802.11ax対応の端末STA1及びIEEE 802.11ax非対応の端末STA1は共に、Conventional NAVのみを使用して仮想キャリアセンスを行う。
【００４０】
モード２をまとめると、以下の表３の通りである。
【表３】
2020025356.tif 000005
【００４１】
モード３：
モード３は、BSS1に所属するアクセスポイントAP1及びIEEE 802.11ax対応の端末STA1において、OBSS_PD-based SRの設定がオフされている環境下で行われる。
【００４２】
モード３では、IEEE 802.11ax対応の端末STA1は、Conventional NAV、Intra-BSS NAV及びBasic NAVを使用して仮想キャリアセンスを行う。IEEE 802.11ax対応の端末STA1は、NAV値を含む無線フレーム（PPDUフレーム、RTS（Request To Send）/CTS（Clear to send）フレーム等）を受信すると、受信した無線フレームが、所属するBSS1から受信したIntra-BSSフレームであるか、又は、OBSSとなるBSS2から受信したInter-BSSフレームであるかを判定する。IEEE 802.11ax対応の端末STA1は、Intra-BSSフレームであると判定した場合は、Intra-BSSフレームに含まれるNAV値を基にConventional NAV及びIntra-BSS NAVを更新し、Inter-BSSフレームであると判定した場合は、Inter-BSSフレームに含まれるNAV値を基にConventional NAV及びBasic NAVを更新する。
一方、IEEE 802.11ax非対応の端末STA1は、Conventional NAVのみを使用して仮想キャリアセンスを行う。
【００４３】
モード３をまとめると、以下の表４の通りである。
【表４】
2020025356.tif 000006
【００４４】
続いて、モード１を実現する具体例について、図２を参照して説明する。
まず、BSS1に所属するアクセスポイントAP1は、Conventional NAV以外のIntra-BSS NAV及びBasic NAVを無効化することを指示するシグナリングを、BSS1に所属するIEEE 802.11ax対応の全ての端末STA1に送信する（ステップS101）。このシグナリングは、例えば、ビーコンフレーム等の無線フレームに含めて送信する。
【００４５】
IEEE 802.11ax対応の端末STA1は、アクセスポイントAP1から上記のシグナリングを受信した場合、Conventional NAV以外のIntra-BSS NAV及びBasic NAVを無効化する。なお、NAVを無効化する態様としては、NAVをdisabledにする、NAVを0等のSpecial Valueに設定（固定）する、という2態様があるとする（以下、同じ）。これにより、Conventional NAVのみが有効化される（ステップS102）。そのため、IEEE 802.11ax対応の端末STA1は、以降、Conventional NAVのみを使用して仮想キャリアセンスを行うことになる。
【００４６】
IEEE 802.11ax対応の端末STA1は、所属するBSS1のアクセスポイントAP1から、PPDUフレームやRTS/CTSフレーム等の無線フレームを受信した場合（ステップS103）、受信した無線フレームに含まれるNAV値を基にConventional NAVを更新する（ステップS104）。以降、IEEE 802.11ax対応の端末STA1は、Conventional NAV>0の期間T1では、物理的キャリアセンスを行わず、利用中のメディアをBUSYとみなして（仮想キャリアセンス）、無線フレームの送信を行わない。
【００４７】
また、IEEE 802.11ax対応の端末STA1は、同一メディア上でOBSSとなるBSS2に所属するアクセスポイントAP2から、PPDUフレームやRTS/CTSフレーム等の無線フレームを受信した場合も（ステップS105）、受信した無線フレームに含まれるNAV値を基にConventional NAVを更新する（ステップS106）。
その後、IEEE 802.11ax対応の端末STA1は、Conventional NAV=0になると、物理的キャリアセンスを再開する（ステップS107）。
【００４８】
なお、IEEE 802.11ax非対応の端末STA1は、Two NAVsを保持していないため、Conventional NAVを使用して、仮想キャリアセンスを行う。この動作は、関連技術と同様であるため、説明を省略する。
【００４９】
続いて、モード２を実現する具体例について、図３を参照して説明する。
まず、BSS1に所属するアクセスポイントAP1は、OBSS_PD based SRの設定をオフにすることを指示すると共に、Conventional NAV以外のIntra-BSS NAV及びBasic NAVを無効化することを指示するシグナリングを、BSS1に所属するIEEE 802.11ax対応の全ての端末STA1に送信する（ステップS201）。このシグナリングは、例えば、ビーコンフレーム等の無線フレームのcapability elementや、HE operation elementに含めて送信する。
【００５０】
IEEE 802.11ax対応の端末STA1は、アクセスポイントAP1から上記のシグナリングを受信した場合、OBSS_PD based SRの設定をオフする（ステップS202）。また、IEEE 802.11ax対応の端末STA1は、Conventional NAV以外のIntra-BSS NAV及びBasic NAVを無効化する。これにより、Conventional NAVのみが有効化される（ステップS203）。そのため、IEEE 802.11ax対応の端末STA1は、以降、Conventional NAVのみを使用して仮想キャリアセンスを行うことになる。
【００５１】
IEEE 802.11ax対応の端末STA1は、所属するBSS1のアクセスポイントAP1から、PPDUフレームやRTS/CTSフレーム等の無線フレームを受信した場合（ステップS204）、受信した無線フレームに含まれるNAV値を基にConventional NAVを更新する（ステップS205）。以降、IEEE 802.11ax対応の端末STA1は、Conventional NAV>0の期間T2では、物理的キャリアセンスを行わず、利用中のメディアをBUSYとみなして（仮想キャリアセンス）、無線フレームの送信を行わない。
【００５２】
また、IEEE 802.11ax対応の端末STA1は、同一メディア上でOBSSとなるBSS2に所属するアクセスポイントAP2から、PPDUフレームやRTS/CTSフレーム等の無線フレームを受信した場合も（ステップS206）、受信した無線フレームに含まれるNAV値を基にConventional NAVを更新する（ステップS207）。
その後、IEEE 802.11ax対応の端末STA1は、Conventional NAV=0になると、物理的キャリアセンスを再開する（ステップS208）。
【００５３】
なお、IEEE 802.11ax非対応の端末STA1は、Two NAVsを保持していないため、Conventional NAVを使用して、仮想キャリアセンスを行う。この動作は、関連技術と同様であるため、説明を省略する。
【００５４】
続いて、モード３を実現する具体例について、図４を参照して説明する。
まず、BSS1に所属するアクセスポイントAP1は、OBSS_PD based SRの設定をオフにすることを指示するシグナリングを、BSS1に所属するIEEE 802.11ax対応の全ての端末STA1に送信する（ステップS301）。このシグナリングは、例えば、ビーコンフレーム等の無線フレームのcapability elementや、HE operation elementに含めて送信する。
【００５５】
IEEE 802.11ax対応の端末STA1は、アクセスポイントAP1から上記のシグナリングを受信した場合、OBSS_PD based SRの設定をオフする（ステップS302）。また、IEEE 802.11ax対応の端末STA1は、受信した無線フレームが、Intra-BSSフレームであるか、又は、Inter-BSSフレームであるかを判定するためのOBSS_PD値を任意に選択する（ステップS303）。例えば、OBSS_PD値は、デフォルト値（例えば、OBSS_PDmin）を選択しても良いし、アクセスポイントAP1から予め通知されているOBSS_PDminを選択しても良い。
【００５６】
このとき、IEEE 802.11ax対応の端末STA1は、Conventional NAV、Intra-BSS NAV、及びBasic NAVがいずれも有効化されたままであるため、以降、Conventional NAV、Intra-BSS NAV、及びBasic NAVを使用して仮想キャリアセンスを行うことになる。
【００５７】
IEEE 802.11ax対応の端末STA1は、所属するBSS1のアクセスポイントAP1から、PPDUフレームやRTS/CTSフレーム等の無線フレームを受信した場合（ステップS304）、例えば、受信した無線フレームの受信レベルをOBSS_PD値と比較することで、受信した無線フレームがIntra-BSSフレームであるか、又は、Inter-BSSフレームであるかを判定する（ステップS305）。
【００５８】
ここでは、ステップS304で受信した無線フレームはIntra-BSSフレームとなるため、IEEE 802.11ax対応の端末STA1は、Intra-BSSフレームに含まれるNAV値を基に、Conventional NAV及びIntra-BSS NAVを更新する（ステップS306,S307）。その一方で、Inter-BSS NAVは更新しない。以降、IEEE 802.11ax対応の端末STA1は、Conventional NAV、Intra-BSS NAV、及びBasic NAVのいずれかが0よりも大きい値を示している期間T3では、物理的キャリアセンスを行わず、利用中のメディアをBUSYとみなして（仮想キャリアセンス）、無線フレームの送信を行わない。
【００５９】
また、IEEE 802.11ax対応の端末STA1は、同一メディア上でOBSSとなるBSS2に所属するアクセスポイントAP2から、PPDUフレームやRTS/CTSフレーム等の無線フレームを受信した場合（ステップS308）、例えば、受信した無線フレームの受信レベルをOBSS_PD値と比較することで、受信した無線フレームがIntra-BSSフレームであるか、又は、Inter-BSSフレームであるかを判定する（ステップS309）。
【００６０】
ここでは、ステップS308で受信した無線フレームはInter-BSSフレームとなるため、IEEE 802.11ax対応の端末STA1は、Inter-BSSフレームに含まれるNAV値を基に、Conventional NAV及びBasic NAVを更新する（ステップS310,S311）。その一方で、Intra-BSS NAVは更新しない。Intra-BSS NAV=0となってもConventional NAV又はBasic NAVが0より大きい値を示している間は仮想キャリアセンスを継続する。
その後、IEEE 802.11ax対応の端末STA1は、Conventional NAV、Intra-BSS NAV、及びBasic NAVが全てゼロになると、物理的キャリアセンスを再開する（ステップS312）。
【００６１】
上述したように本実施の形態１によれば、BSSに所属するアクセスポイントAP及びIEEE 802.11ax対応の端末STAにおいて、OBSS_PD-based SRの設定がオンされているか否かに応じて、IEEE 802.11ax対応の端末STAが仮想キャリアセンスで使用するNAVを切り替える。
【００６２】
これにより、OBSS_PD-based SR及びTwo NAVsが併用されるケースが少なくなるため、無線通信システム全体の挙動が非常に煩雑になることを抑制することができる。また、無線通信システム全体の挙動がシンプルになるため、安定した通信状態を確保することができる。
【００６３】
例えば、BSS1に所属するアクセスポイントAP1及びIEEE 802.11ax対応の端末STA1において、OBSS_PD-based SRの設定がオンされている環境下では、モード１が行われる。モード１では、IEEE 802.11ax対応の端末STA1は、Conventional NAVのみを使用して仮想キャリアセンスを行う。このような環境下でモード１を行うことにより、BSS1に所属する端末STA1として、IEEE 802.11ax対応の端末STA1及びIEEE 802.11ax非対応の端末STA1が混在する場合には、IEEE 802.11ax非対応の端末STA1が不利になることを抑制することができる。以下、この点につき説明する。
【００６４】
例えば、IEEE 802.11ax対応の端末STA1が、Basic NAVを使用して仮想キャリアセンスを行うと仮定する。IEEE 802.11ax非対応の端末STA1は、OBSSとなるBSS2からの無線フレームを受信した場合、Conventional NAVを設定して送信禁止区間に入り通信を抑制する。その一方、IEEE 802.11ax対応の端末STA1は、BSS2からの無線フレームを受信した場合、OBSS_PD値の働きによりBasic NAVを設定せずにTXOP（送信機会）を獲得し、BSS1内での通信を始めることがあり得る。この際には、IEEE 802.11ax非対応の端末STA1は、IEEE 802.11ax対応の端末STA1が送信する無線フレームにより新たなConventional NAVを設定してしまうため、たとえBSS2からの干渉が小さくなっていたとしても、BSS1内でのIntra-BSS通信を行うことができない。そのため、IEEE 802.11ax非対応の端末STA1は、IEEE 802.11ax対応の端末STA1と比較して、スループットや通信効率の点で不利になるケースが生じ得る。しかし、モード１では、IEEE 802.11ax対応の端末STA1もConventional NAVを使用するため、IEEE 802.11ax非対応の端末STA1が不利になるケースの発生を抑制することができる。
【００６５】
（２）実施の形態２
IEEE 802.11ax（HEW）では、OBSS_PD-based SR及びTwo NAVsという２つの仕組みが追加される。しかし、無線通信システムにおいて、OBSS_PD-based SR及びTwo NAVsを併用すると、無線通信システム全体の挙動が非常に煩雑になるという問題がある。また、あるBSSにおいて、そのBSSに所属する端末STAとして、IEEE 802.11ax対応の端末STAのみが存在する特殊環境下では、そのBSSに所属する全ての端末STAにOBSS_PD-based SRを設定可能であるため、OBSS_PD-based SRが適切に機能すれば、OBSSに所属する端末STAまたはアクセスポイントAPからフレームを受信する機会が少なくなり、また、OBSS内のIntra-BSS通信が、BSS内のIntra-BSS通信に干渉を与えることが低減されるため、端末STAはTwo NAVsを使用する必要性が低減される。
【００６６】
そこで、本実施の形態２は、任意のBSSにおいて、そのBSSに所属するアクセスポイントAP及びIEEE 802.11ax対応の端末STAにOBSS_PD-based SRの設定がオンされている環境下では、そのBSSに所属する端末STAとして、IEEE 802.11ax対応の端末STAのみが存在するか、又は、IEEE 802.11ax対応の端末STA及びIEEE 802.11ax非対応の端末STAが混在するかに応じて、IEEE 802.11ax対応の端末STAが仮想キャリアセンスで使用するNAVをアダプティブに切り替える。
【００６７】
具体的には、本実施の形態２に係る無線通信システムは、仮想キャリアセンスの動作モードとしてモード０’，４を備えており、モード０’，４の切り替えにより、IEEE 802.11ax対応の端末STAが仮想キャリアセンスで使用するNAVを切り替える。以下、モード０’，４について説明する。なお、以下では、BSS1における動作を例に挙げて説明するが、BSS2における動作も同様であるとする。
【００６８】
モード０’：
モード０’は、モード０と異なる点は、BSS1に所属する端末STA1として、IEEE 802.11ax対応の端末STA1のみが存在する環境下で行われることに限定される点のみである。
すなわち、モード０’は、BSS1に所属する端末STA1として、IEEE 802.11ax対応の端末STA1のみが存在し、かつ、BSS1に所属するアクセスポイントAP1及びIEEE 802.11ax対応の端末STA1において、OBSS_PD-based SRの設定がオンされている環境下で行われる。
【００６９】
モード０’では、IEEE 802.11ax対応の端末STA1は、Conventional NAV及びtwo NAVs（Intra-BSS NAV及びBasic NAV）を使用して、仮想キャリアセンスを行い、IEEE 802.11ax非対応の端末STA1は、Conventional NAVを使用して、仮想キャリアセンスを行う。
【００７０】
モード０’をまとめると、以下の表５の通りである。
【表５】
2020025356.tif 000007
【００７１】
モード４：
モード４は、BSS1に所属する端末STA1として、IEEE 802.11ax対応の端末STA1のみが存在し、かつ、BSS1に所属するアクセスポイントAP1及びIEEE 802.11ax対応の端末STA1にOBSS_PD-based SRの設定がオンされている環境下で行われる。
【００７２】
モード４では、IEEE 802.11ax対応の端末STA1は、Intra-BSS NAVのみを使用して仮想キャリアセンスを行う。IEEE 802.11ax対応の端末STA1は、NAV値を含む無線フレーム（PPDUフレーム、RTS/CTSフレーム等）を受信すると、受信した無線フレームが、所属するBSS1から受信したIntra-BSSフレームであるか、又は、OBSSとなるBSS2から受信したInter-BSSフレームであるかを判定する。IEEE 802.11ax対応の端末STA1は、Intra-BSSフレームであると判定した場合、Intra-BSSフレームに含まれるNAV値を基にIntra-BSS NAVを更新する。
【００７３】
モード４をまとめると、以下の表６の通りである。
【表６】
2020025356.tif 000008
【００７４】
続いて、モード４を実現する具体例について、図５を参照して説明する。
まず、BSS1に所属するアクセスポイントAP1は、Intra-BSS NAV以外のBasic NAV及びConventional NAVを無効化することを指示するシグナリングを、BSS1に所属するIEEE 802.11ax対応の全ての端末STA1に送信する（ステップS401）。このシグナリングは、例えば、ビーコンフレーム等の無線フレームに含めて送信する。
【００７５】
IEEE 802.11ax対応の端末STA1は、アクセスポイントAP1から上記のシグナリングを受信した場合、Intra-BSS NAV以外のBasic NAV及びConventional NAVを無効化する。これにより、Intra-BSS NAVのみが有効化される（ステップS402）。そのため、IEEE 802.11ax対応の端末STA1は、以降、Intra-BSS NAV のみを使用して仮想キャリアセンスを行うことになる。また、IEEE 802.11ax対応の端末STA1は、受信した無線フレームが、Intra-BSSフレームであるか、又は、Inter-BSSフレームであるかを判定するためのOBSS_PD値を任意に選択する（ステップS403）。例えば、OBSS_PD値は、デフォルト値（例えば、OBSS_PDmin）を選択しても良いし、アクセスポイントAP1から予め通知されているOBSS_PDminを選択しても良い。
【００７６】
IEEE 802.11ax対応の端末STA1は、所属するBSS1のアクセスポイントAP1から、PPDUフレームやRTS/CTSフレーム等の無線フレームを受信した場合（ステップS404）、例えば、受信した無線フレームの受信レベルをOBSS_PD値と比較することで、受信した無線フレームがIntra-BSSフレームであるか、又は、Inter-BSSフレームであるかを判定する（ステップS405）。
【００７７】
ここでは、ステップS404で受信した無線フレームはIntra-BSSフレームとなるため、IEEE 802.11ax対応の端末STA1は、Intra-BSSフレームに含まれるNAV値を基にIntra-BSS NAVを更新する（ステップS406）。以降、IEEE 802.11ax対応の端末STA1は、Intra-BSS NAV>0の期間T4では、物理的キャリアセンスを行わず、利用中のメディアをBUSYとみなして（仮想キャリアセンス）、無線フレームの送信を行わない。
【００７８】
また、OBSSとなるBSS2に所属するアクセスポイントAP2やIEEE 802.11ax対応の端末STA2がOBSS_PD-based SRを適切に機能させている場合には、IEEE 802.11ax対応の端末STA1が、BSS2から無線フレームを受信するという事象は起こりにくい。しかし、ここでは、IEEE 802.11ax対応の端末STA1は、同一メディア上でOBSSとなるBSS2に所属するアクセスポイントAP2から、たまたま無線フレームを受信したとする（ステップS407）。この場合、IEEE 802.11ax対応の端末STA1は、例えば、受信した無線フレームの受信レベルをOBSS_PD値と比較することで、受信した無線フレームがIntra-BSSフレームであるか、又は、Inter-BSSフレームであるかを判定する（ステップS408）。
【００７９】
ここでは、ステップS407で受信した無線フレームはInter-BSSフレームとなる。しかし、IEEE 802.11ax対応の端末STA1は、Basic NAV及びConventional NAVを無効化しているため、値を更新しない。そのため、仮想キャリアセンスに影響を与えることはない。
その後、IEEE 802.11ax対応の端末STA1は、Intra-BSS NAV=0になると、物理的キャリアセンスを再開する（ステップS409）。
【００８０】
上述したように本実施の形態２によれば、BSSに所属するアクセスポイントAP及びIEEE 802.11ax対応の端末STAにおいて、OBSS_PD-based SRの設定がオンされている環境下では、そのBSSに所属する端末STAとして、IEEE 802.11ax対応の端末STAのみが存在するか、又は、IEEE 802.11ax対応の端末STA及びIEEE 802.11ax非対応の端末STAが混在するかに応じて、IEEE 802.11ax対応の端末STAが仮想キャリアセンスで使用するNAVを切り替える。
【００８１】
これにより、OBSS_PD-based SR及びTwo NAVsが併用されるケースが少なくなるため、無線通信システム全体の挙動が非常に煩雑になることを抑制することができる。また、無線通信システム全体の挙動がシンプルになるため、安定した通信状態を確保することができる。
【００８２】
例えば、BSS1に所属するアクセスポイントAP1及びIEEE 802.11ax対応の端末STA1において、OBSS_PD-based SRの設定がオンされており、かつ、端末STA1として、IEEE 802.11ax対応の端末STA1のみが存在する環境下では、モード４が行われる。モード４では、IEEE 802.11ax対応の端末STA1は、Intra-BSS NAVのみを使用して仮想キャリアセンスを行う。IEEE 802.11ax対応の端末STA1は、NAV値を含む無線フレームを受信すると、受信した無線フレームが、所属するBSS1から受信したIntra-BSSフレームであるか、又は、OBSSとなるBSS2から受信したInter-BSSフレームであるかを判定し、Intra-BSSフレームであると判定した場合にのみ、Intra-BSSフレームに含まれるNAV値を基にIntra-BSS NAVを更新する。
【００８３】
仮に、BSS1に所属する端末STA1として、IEEE 802.11ax対応の端末STA1のみが存在する環境下で、IEEE 802.11ax対応の端末STA1が、Two NAVsを使用する場合、OBSSとなるBSS2から、たまたま強い受信レベルでNAVを受信してBasic NAVを設定してしまうことがあり得る。しかし、OBSS_PD-based SRが適切に機能している場合、このBasic NAVにより設定された送信禁止区間中に行われるBSS2内のIntra-BSS通信は、BSS1内のIntra-BSS通信に干渉を与えることはない。そのため、Basic NAVによって端末STA1によるBSS1内のIntra-BSS通信を抑制すると、端末STA1のスループットや通信効率を悪化させてしまうケースが生じ得る。モード４では、IEEE 802.11ax対応の端末STA1がBasic NAVを使用しないため、このようなケースの発生を抑制することができる。
【００８４】
（３）実施の形態３
IEEE 802.11ax（HEW）では、OBSS_PD-based SR及びTwo NAVsという２つの仕組みが追加される。しかし、無線通信システムにおいて、アクセスポイントAP及びIEEE 802.11ax対応の端末STA におけるOBSS_PD-based SRの設定は実装依存であるため、無線通信システム全体の挙動を予測することができないという問題がある。
【００８５】
そこで、本実施の形態３は、アクセスポイントAP及びIEEE 802.11ax対応の端末STAにおけるOBSS_PD-based SRの設定をアダプティブにオン／オフする。以下、本実施の形態３における３つの動作例について説明する。なお、以下では、BSS1における動作を例に挙げて説明するが、BSS2における動作も同様であるとする。
【００８６】
動作例１：
まず、動作例１について、図６を参照して説明する。
BSS1に所属するアクセスポイントAP1は、BSS1に所属するIEEE 802.11ax非対応の端末STA1の端末数を把握している。ここでは、アクセスポイントAP1は、IEEE 802.11ax非対応の端末STA1の端末数が予め設定された閾値以上になったと判定したとする（ステップS501）。
【００８７】
すると、アクセスポイントAP1は、自身のOBSS_PD-based SRの設定をオフにする（ステップS502）。また、アクセスポイントAP1は、BSS1に所属するIEEE 802.11ax対応の全ての端末STA1に対し、OBSS_PD-based SRの設定をオフにすることを指示するシグナリングを送信する（ステップS503）。このシグナリングは、例えば、ビーコンフレーム等の無線フレームのcapability elementや、HE operation elementに含めて送信する。
IEEE 802.11ax対応の端末STA1は、アクセスポイントAP1から上記のシグナリングを受信した場合、自身のOBSS_PD-based SRの設定をオフにする（ステップS504）。
【００８８】
なお、本動作例１においては、BSS1に所属するIEEE 802.11ax非対応の端末STA1の端末数が予め設定された閾値以上になった場合、以下の動作を追加しても良い。
ステップS503において、アクセスポイントAP1は、Two NAVsの設定をオフにする（言い換えれば、Two NAVsを利用不可(disabled)にする。以下、同じ）ことも指示するシグナリングを送信する。
ステップS504において、IEEE 802.11ax対応の端末STA1は、自身のTwo NAVsの設定もオフにする。
ステップS503におけるシグナリングは、例えばBSS カラービットを無効化することを示す信号であってもよい。
【００８９】
動作例２：
続いて、動作例２について、図７を参照して説明する。ここでは、BSS1に所属する端末STA1は、IEEE 802.11ax対応の端末STA1-1,STA1-2のみ（図１参照）であるものとして説明する。
【００９０】
BSS1に所属するIEEE 802.11ax対応の端末STA1-1は、OBSSとなるBSS2に所属するアクセスポイントAP2から送信されてきたビーコンフレーム等を検出したとする（ステップS601）。また、ビーコンフレーム等にはOBSS_PD-based SRの設定をオフにする指示が含まれていたとする。
【００９１】
すると、IEEE 802.11ax対応の端末STA1-1は、自身のOBSS_PD-based SRの設定を同様にオフにする（ステップS602）。また、IEEE 802.11ax対応の端末STA1-1は、自身のOBSS_PD-based SRの設定を通知するシグナリング（第１シグナリング）を、BSS1に所属するアクセスポイントAP1に送信する（ステップS603）。このシグナリングは、例えば、マネージメントフレーム等の無線フレームのcapability elementや、HE operation elementに含めて送信する。
【００９２】
アクセスポイントAP1は、IEEE 802.11ax対応の端末STA1-1から上記のシグナリングを受信した場合、自身のOBSS_PD-based SRの設定を、端末STA1-1と同様にオフにする（ステップS604）。また、アクセスポイントAP1は、BSS1に所属するIEEE 802.11ax対応の全ての端末STA1-1,1-2に対し、OBSS_PD-based SRの設定を、端末STA1-1と同様にオフにすることを指示するシグナリング（第２シグナリング）を送信する（ステップS605）。このシグナリングは、例えば、ビーコンフレーム等の無線フレームのcapability elementや、HE operation elementに含めて送信する。
【００９３】
IEEE 802.11ax対応の端末STA1-2は、アクセスポイントAP1から上記のシグナリングを受信した場合、自身のOBSS_PD-based SRの設定を、端末STA1-1と同様にオフにする（ステップS606）。なお、IEEE 802.11ax対応の端末STA1-1は、既にステップS602の時点で、自身のOBSS_PD-based SRの設定をオフしており、この設定を継続する。
【００９４】
なお、本動作例２においては、アクセスポイントAP2からIEEE 802.11ax対応の端末STA1-1に受信されたビーコンフレーム等に、Two NAVs（Intra-BSS NAV及びBasic NAV）の設定をオフ（無効化）にする指示が含まれていた場合、以下の動作を追加しても良い。
ステップS602において、IEEE 802.11ax対応の端末STA1-1は、自身のTwo NAVsの設定もオフにする。
ステップS603において、IEEE 802.11ax対応の端末STA1-1は、自身のTwo NAVsの設定も通知するシグナリングを送信する。
ステップS605において、アクセスポイントAP1は、Two NAVsの設定をオフにすることも指示するシグナリングを送信する。
ステップS606において、IEEE 802.11ax対応の端末STA1-2は、自身のTwo NAVsの設定もオフにする。
【００９５】
また、これとは逆に、アクセスポイントAP2からIEEE 802.11ax対応の端末STA1-1に受信されたビーコンフレーム等に、Two NAVs（Intra-BSS NAV及びBasic NAV）の設定をオンにする（言い換えれば、Two NAVsを利用可能(enabled)にする。以下、同じ）指示が含まれていた場合、以下の動作を追加しても良い。
ステップS602において、IEEE 802.11ax対応の端末STA1-1は、自身のTwo NAVsの設定もオンにする。
ステップS603において、IEEE 802.11ax対応の端末STA1-1は、自身のTwo NAVsの設定も通知するシグナリングを送信する。
ステップS605において、アクセスポイントAP1は、Two NAVsの設定をオンにすることも指示するシグナリングを送信する。
ステップS606において、IEEE 802.11ax対応の端末STA1-2は、自身のTwo NAVsの設定もオンにする。
【００９６】
動作例３：
続いて、動作例３について、図８を参照して説明する。ここでは、BSS1に所属する端末STA1は、IEEE 802.11ax対応の端末STA1-1,STA1-2のみ（図１参照）であるものとして説明する。
【００９７】
BSS1に所属するIEEE 802.11ax対応の端末STA1-1は、OBSSとなるBSS2に所属するアクセスポイントAP2から送信されてきたPPDUフレーム等を検出したとする（ステップS701）。
【００９８】
すると、IEEE 802.11ax対応の端末STA1-1は、自身のOBSS_PD-based SRの設定をオンにする（ステップS702）。また、IEEE 802.11ax対応の端末STA1-1は、自身のOBSS_PD-based SRの設定を通知するシグナリング（第１シグナリング）を、BSS1に所属するアクセスポイントAP1に送信する（ステップS703）。このシグナリングは、例えば、マネージメントフレーム等の無線フレームのcapability elementや、HE operation elementに含めて送信する。
【００９９】
アクセスポイントAP1は、IEEE 802.11ax対応の端末STA1-1から上記のシグナリングを受信した場合、自身のOBSS_PD-based SRの設定を、端末STA1-1と同様にオンにする（ステップS704）。また、アクセスポイントAP1は、BSS1に所属するIEEE 802.11ax対応の全ての端末STA1-1,1-2に対し、OBSS_PD-based SRの設定を、端末STA1-1と同様にオンにすることを指示するシグナリング（第２シグナリング）を送信する（ステップS705）。このシグナリングは、例えば、ビーコンフレーム等の無線フレームのcapability elementや、HE operation elementに含めて送信する。
【０１００】
IEEE 802.11ax対応の端末STA1-2は、アクセスポイントAP1から上記のシグナリングを受信した場合、自身のOBSS_PD-based SRの設定を、端末STA1-1と同様にオンにする（ステップS706）。なお、IEEE 802.11ax対応の端末STA1-1は、既にステップS702の時点で、自身のOBSS_PD-based SRの設定をオンしており、この設定を継続する。
【０１０１】
なお、本動作例３においては、アクセスポイントAP2からIEEE 802.11ax対応の端末STA1-1にPPDUフレーム等が受信された場合、以下の動作を追加しても良い。
ステップS702において、IEEE 802.11ax対応の端末STA1-1は、自身のTwo NAVsの設定をオンにする。
ステップS703において、IEEE 802.11ax対応の端末STA1-1は、自身のTwo NAVsの設定も通知するシグナリングを送信する。
ステップS705において、アクセスポイントAP1は、Two NAVsの設定をオンにすることも指示するシグナリングを送信する。
ステップS706において、IEEE 802.11ax対応の端末STA1-2は、自身のTwo NAVsの設定もオンにする。
【０１０２】
また、上記動作の代わりに、以下の動作を追加しても良い。
ステップS702において、IEEE 802.11ax対応の端末STA1-1は、自身のTwo NAVsの設定をオフにする。
ステップS703において、IEEE 802.11ax対応の端末STA1-1は、自身のTwo NAVsの設定も通知するシグナリングを送信する。
ステップS705において、アクセスポイントAP1は、Two NAVsの設定をオフにすることも指示するシグナリングを送信する。
ステップS706において、IEEE 802.11ax対応の端末STA1-2は、自身のTwo NAVsの設定もオフにする。
【０１０３】
上述したように本実施の形態３によれば、BSSに所属するアクセスポイントAP及びIEEE 802.11ax対応の端末STAは、OBSS_PD-based SRの設定をアダプティブにオン／オフする。
【０１０４】
これにより、アクセスポイントAP及びIEEE 802.11ax対応の端末STAにおけるOBSS_PD-based SRの設定の状況を把握することができるため、無線通信システム全体の挙動を予測しやすくすることができる。
【０１０５】
以下、上述の実施の形態１〜３で説明された、ある観点におけるアクセスポイントAP及び端末STAの構成例について説明する。
図９は、ある観点におけるアクセスポイントAPの構成例を示すブロック図である。アクセスポイントAPは、通信部１１、プロセッサ１２、及びメモリ１３を備えている。通信部１１は、所属するBSS内の端末STAと無線通信を行うよう構成されており、プロセッサ１２に接続されている。
【０１０６】
メモリ１３は、上述の実施の形態で説明されたアクセスポイントAPによる処理を行うための命令群及びデータを含むソフトウェアモジュール（コンピュータプログラム）を格納するように構成されている。メモリ１３は、例えば、揮発性メモリ及び不揮発性メモリの組み合わせによって構成されても良い。
【０１０７】
プロセッサ１２は、メモリ１３からソフトウェアモジュール（コンピュータプログラム）を読み出して実行することで、上述の実施の形態で説明されたアクセスポイントAPの処理を行うように構成されている。プロセッサ１２は、例えば、マイクロプロセッサ、MPU（Micro Processing Unit）、又はCPU（Central Processing Unit）であっても良い。プロセッサ１２は、複数のプロセッサを含んでも良い。
【０１０８】
図１０は、ある観点における端末STAの構成例を示すブロック図である。端末STAは、通信部２１、プロセッサ２２、及びメモリ２３を備えている。通信部２１は、所属するBSS内のアクセスポイントAPと無線通信を行うよう構成されており、プロセッサ２２に接続されている。
【０１０９】
メモリ２３は、上述の実施の形態で説明された端末STAによる処理を行うための命令群及びデータを含むソフトウェアモジュール（コンピュータプログラム）を格納するように構成されている。メモリ２３は、例えば、揮発性メモリ及び不揮発性メモリの組み合わせによって構成されても良い。
【０１１０】
プロセッサ２２は、メモリ２３からソフトウェアモジュール（コンピュータプログラム）を読み出して実行することで、上述の実施の形態で説明された端末STAの処理を行うように構成されている。プロセッサ２２は、例えば、マイクロプロセッサ、MPU、又はCPUであっても良い。プロセッサ２２は、複数のプロセッサを含んでも良い。
【０１１１】
上述したプログラムは、様々なタイプの非一時的なコンピュータ可読媒体（non-transitory computer readable medium）を使用して格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disk-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバなどの有線通信路、又は無線通信路を介して、プログラムをコンピュータに供給できる。
【０１１２】
以上、実施の形態を参照して本願発明における様々な観点を説明したが、本願発明は上記によって限定されるものではない。本願発明の各観点における構成や詳細には、発明のスコープ内で当業者が理解し得る様々な変更をすることができる。例えば、上記の実施の形態１，２，３は、一部又は全部を相互に組み合わせて用いても良い。
【０１１３】
上記の実施形態の一部又は全部は、以下の付記のようにも記載されうるが、以下には限られない。
【０１１４】
（付記１）
あるBSS(Basic Service Set)に所属するアクセスポイント（AP）及び端末（STA）を備え、
前記AP及び前記STAは、
前記BSSとOBSS（Overlapping BSS）との間の干渉を回避するように調整するOBSS_PD (Power Detect)-based SR（Spatial Reuse）をアダプティブに利用不可とする、
無線通信システム。
【０１１５】
（付記２）
前記APは、
自身の前記OBSS_PD-based SRを利用不可とし、前記STAに対し、前記OBSS_PD-based SRを利用不可とすることを指示するシグナリングを送信し、
前記STAは、自身の前記OBSS_PD-based SRを利用不可とする、
付記１に記載の無線通信システム。
【０１１６】
（付記３）
前記APは、
前記STAに対し、Intra-BSS NAV及びBasic NAVを更新しないために前記シグナリングを送信し、
前記STAは、
自身の前記Intra-BSS NAV及び前記Basic NAVの更新をしない、
付記２に記載の無線通信システム。
【０１１７】
（付記４）
前記STAは、
前記OBSSから受信したInter-BSSフレームを基に自身の前記OBSS_PD-based SRを利用可能又は利用不可とすると共に、前記APに対し、自身の前記OBSS_PD-based SRの設定を通知する第１シグナリングを送信し、
前記APは、
自身の前記OBSS_PD-based SRの設定を、前記第１シグナリングで通知された設定と同様にすると共に、前記BSSに所属する前記STA以外のSTAに対し、前記OBSS_PD-based SRの設定を前記第１シグナリングで通知された設定と同様にすることを指示する第２シグナリングを送信し、
前記第２シグナリングを受信した前記STAは、
自身の前記OBSS_PD-based SRの設定を、前記第２シグナリングで指示された設定と同様にする、
付記１に記載の無線通信システム。
【０１１８】
（付記５）
前記STAは、
前記OBSSから受信したInter-BSSフレームを基に自身のIntra-BSS NAV及びBasic NAVを利用可能又は利用不可とすると共に、前記APに対し、自身の前記Intra-BSS NAV及び前記Basic NAVの設定を通知する前記第１シグナリングを送信し、
前記APは、
前記BSSに所属する前記STA以外のSTAに対し、前記Intra-BSS NAV及び前記Basic NAVの設定を、前記第１シグナリングで通知された設定と同様にすることを指示する前記第２シグナリングを送信し、
前記第２シグナリングを受信した前記STAは、
自身の前記Intra-BSS NAV及び前記Basic NAVの設定を、前記第２シグナリングで指示された設定と同様にする、
付記４に記載の無線通信システム。
【０１１９】
（付記６）
前記STAは、
前記OBSSから受信した第１のビーコンフレームを基に自身の前記OBSS_PD-based SRを利用不可とすると共に、前記APに対し、自身の前記OBSS_PD-based SRの設定を通知するマネージメントフレームを送信し、
前記APは、
前記マネージメントフレームに基づいて自身の前記OBSS_PD-based SRを利用不可とすると共に、前記BSSに所属する前記STA以外のSTAに対し、前記OBSS_PD-based SRを利用不可とすることを指示する第２のビーコンフレームを送信し、
前記第２のビーコンフレームを受信した前記STAは、
前記第２のビーコンフレームに基づいて自身の前記OBSS_PD-based SRを利用不可とする、
付記４又は５に記載の無線通信システム。
【０１２０】
（付記７）
前記STAは、
前記OBSSから受信したInter BSS PPDUを基に自身の前記OBSS_PD-based SRを利用可能とすると共に、前記APに対し、自身の前記OBSS_PD-based SRの設定を通知するマネージメントフレームを送信し、
前記APは、
前記マネージメントフレームに基づいて自身の前記OBSS_PD-based SRを利用可能とすると共に、前記BSSに所属する前記STA以外のSTAに対し、前記OBSS_PD-based SRの設定をオンすることを指示するビーコンフレームを送信し、
前記ビーコンフレームを受信した前記STAは、
前記ビーコンフレームに基づいて自身の前記OBSS_PD-based SRを利用可能とする、
付記４乃至６のいずれか１項に記載の無線通信システム。
【０１２１】
（付記８）
あるBSS（Basic Service Set）に所属するアクセスポイント（AP）及び端末（STA）を備える無線通信システムにおける前記APであって、
命令を記憶するメモリと、
前記命令を処理するように構成される少なくとも１つのプロセッサと、を備え、
前記プロセッサは、
前記BSSとOBSS（Overlapping BSS）との間の干渉を回避するように調整するOBSS_PD（Power Detect）-based SR（Spatial Reuse）をアダプティブに利用不可とする、
AP。
【０１２２】
（付記９）
前記プロセッサは、
自身の前記OBSS_PD-based SRを利用不可とし、前記STAに対し、前記OBSS_PD-based SRを利用不可とすることを指示するシグナリングを送信する、
付記８に記載のAP。
【０１２３】
（付記１０）
前記プロセッサは、
前記STAに対し、Intra-BSS NAV及びBasic NAVを更新しないために前記シグナリングを送信する、
付記９に記載のAP。
【０１２４】
（付記１１）
あるBSS（Basic Service Set）に所属するアクセスポイント（AP）及び端末（STA）を備える無線通信システムにおける前記STAであって、
命令を記憶するメモリと、
前記命令を処理するように構成される少なくとも１つのプロセッサと、を備え、
前記プロセッサは、
前記BSSとOBSS（Overlapping BSS）との間の干渉を回避するように調整するOBSS_PD（Power Detect）-based SR（Spatial Reuse）をアダプティブに利用不可とする、
STA。
【０１２５】
（付記１２）
前記プロセッサは、
前記APから、前記OBSS_PD-based SRを利用不可とすることを指示するシグナリングを受信すると、自身の前記OBSS_PD-based SRを利用不可とする、
付記１１に記載のSTA。
【０１２６】
（付記１３）
前記プロセッサは、
前記APから前記シグナリングを受信すると、自身のIntra-BSS NAV及びBasic NAVの更新をしない、
付記１２に記載のSTA。
【０１２７】
（付記１４）
あるBSS（Basic Service Set）に所属するアクセスポイント（AP）及び端末（STA）を備える無線通信システムにおける前記APによる通信方法であって、
前記BSSとOBSS（Overlapping BSS）との間の干渉を回避するように調整するOBSS_PD（Power Detect）-based SR（Spatial Reuse）をアダプティブに利用不可とする、
通信方法。
【０１２８】
（付記１５）
あるBSS（Basic Service Set）に所属するアクセスポイント（AP）及び端末（STA）を備える無線通信システムにおける前記STAによる通信方法であって、
前記BSSとOBSS（Overlapping BSS）との間の干渉を回避するように調整するOBSS_PD（Power Detect）-based SR（Spatial Reuse）をアダプティブに利用不可とする、
通信方法。
【０１２９】
この出願は、２０１７年１月１３日に出願された日本出願特願２０１７−００４６６８を基礎とする優先権を主張し、その開示の全てをここに取り込む。
【符号の説明】
【０１３０】
AP  アクセスポイント
STA  端末
１１  通信部
１２  プロセッサ
１３  メモリ
２１  通信部
２２  プロセッサ
２３  メモリ
【図１】
2020025356.tif 000009
【図２】
2020025356.tif 000010
【図３】
2020025356.tif 000011
【図４】
2020025356.tif 000012
【図５】
2020025356.tif 000013
【図６】
2020025356.tif 000014
【図７】
2020025356.tif 000015
【図８】
2020025356.tif 000016
【図９】
2020025356.tif 000017
【図１０】
2020025356.tif 000018